(57)【要約】  【課題】  撮影禁止場所における撮影を防止することができるとともに、電波の発信によってビデオカメラ本来の性能が損なわれることのないた撮影装置を提供するものである。  【解決手段】  外部から入射される光信号から電気信号を生成するレンズ１及び撮像素子２と、撮像素子２で生成された電気信号に基づき映像データを生成するＤＳＰ回路３と、本装置の動作を制御するＭＰＵ回路６と、電波を間欠的かつ一定周期で発信する発信部７とを備えた撮影装置であって、発信部７で発信されている電波を受信可能な受信部８とを備え、発信部７で発信された電波を受信部８で受信できない時、ＭＰＵ回路６が本装置の撮影動作を禁止させるものである。【選択図】  図１
2007104426.tif 000002
【特許請求の範囲】
【請求項１】
外部から入射される光信号から電気信号を生成するカメラ部と、
前記カメラ部で生成された電気信号に基づき映像データを生成する信号処理部と、
本装置の動作を制御するマイクロプロセッサと、
電波を間欠的かつ一定周期で発信する発信部とを備えた撮影装置であって、
前記発信部で発信されている電波を受信可能な受信部を備え、
前記マイクロプロセッサは、前記発信部で発信された電波を前記受信部で受信可能な時のみ、本装置を撮影可能な状態へ移行させることを特徴とする撮影装置。
【請求項２】
前記発信部は、映像信号の垂直ブランキング期間に同期させて、電波を発信させる請求項１記載の撮影装置。
【発明の詳細な説明】
【技術分野】
【０００１】
本発明は、電波発信装置を搭載したビデオカメラに関するもので、特に電波発信装置の取り外しを困難にする技術に関する。
【背景技術】
【０００２】
ビデオカメラで、肖像権や著作権が存在する被写体を無断で撮影することは、例えば、書店で書籍を撮影する場合や音楽コンサートで撮影し同時に音楽を録音する場合、あるいは映画館で客席から映画を撮影するように違法行為となりかねない。
【０００３】
このような肖像権・著作権の存する被写体を無断で撮影することを防止するために有効な技術として、ビデオカメラでの撮影を探知する技術を提供することが考えられる。
【０００４】
しかしながら、ビデオカメラでの撮影を探知することは、技術的及びコスト的に非常に困難である。
【０００５】
そこで、ビデオカメラでの撮影を探知することを容易にするために、ビデオカメラに電波発信装置を内蔵させる構成が考えられる。ビデオカメラに電波発信装置を内蔵することによって、発信される電波を受信検知することにより、容易にビデオカメラでの撮影を探知することができる。すなわち、ビデオカメラを使った違法な撮影を、容易に探知可能なビデオカメラを提供することができる。
【０００６】
盗撮検知システムには特許文献１に開示されたものがある。
【０００７】
図５は、特許文献１に記載の盗撮検知システムの構成を示す模式図である。図５において、発信器４２は、デジタルカメラ４１の撮影可能角とほぼ同じ範囲の発信角度を具備しており、デジタルカメラ４１のシャッターボタン４４が押されて映像が撮像されると、発信器４２は撮像範囲の領域に向けて所定帯域の指向性のある電波を発信する。
【０００８】
発信器４２から電波が発信された電波は、受信器４３で受信される。受信器４３は、受信器４３の所有者に対して、撮影されているという情報を送る。情報を送る方法は、受信器４３自体が振動して知らせてもよいし、音により知らせてもよい。
【０００９】
上記のような受信器４３を、書店、コンサート会場、映画館などの撮影禁止場所に設置し、電波を受信した際に発する音の音量を大音量に設定しておくか、監視者においてモニタリングできるシステムにしておく。これにより、撮影禁止場所において、デジタルカメラ４１による撮影が行われた際に、警告音を鳴らしたり、監視者においてモニタリングすることができ、違法撮影が行われていることを検出および防止することができる。
【特許文献１】特開２００３−１６３８２２号公報
【発明の開示】
【発明が解決しようとする課題】
【００１０】
しかしながら上記特許文献１に記載の構成では、悪意あるユーザーにより、発信器が動作しないように改造されてしまった場合、受信器において電波を受信することができず、撮影禁止場所における撮影を防止することができないという問題がある。
【００１１】
また、特許文献１に記載の構成では、シャッターボタン４４が操作された時に電波を発信させているため、電波発信装置から発生される電波によって、映像信号や音声信号にノイズが生じてしまう可能性があるという問題がある。
【００１２】
特に、近頃のデジタルビデオカメラには、動画撮影中に静止画撮影が可能な機能が搭載されており、動画撮影中に静止画を撮影するためにシャッターボタンを操作すると、発信器から電波が発信され、発信された電波によって映像信号などにノイズが生じてしまう可能性がある。
【００１３】
本発明は、上記問題に鑑み、撮影禁止場所における撮影を防止することができるとともに、電波の発信によってビデオカメラ本来の性能が損なわれることのない撮影装置を提供するものである。
【課題を解決するための手段】
【００１４】
上記課題を解決するために本発明の撮影装置は、外部から入射される光信号から電気信号を生成するカメラ部と、前記カメラ部で生成された電気信号に基づき映像データを生成する信号処理部と、本装置の動作を制御するマイクロプロセッサと、電波を間欠的かつ一定周期で発信する発信部とを備えた撮影装置であって、前記発信部で発信されている電波を受信可能な受信部を備え、前記マイクロプロセッサは、前記発信部で発信された電波を前記受信部で受信可能な時のみ、本装置を撮影可能な状態へ移行させるものである、
【発明の効果】
【００１５】
本発明によれば、受信部の出力信号によって撮影装置の撮影機能が制御されているため、例えば電波の発信が停止した場合には、撮影機能を禁止させることが可能になる。よって、盗撮や違法撮影を防止することができる。
【００１６】
また、電波を間欠的に発信させていることにより、消費電力を低減させることができる。
【発明を実施するための最良の形態】
【００１７】
本発明の撮影装置は、前記発信部は、電波を、映像信号の垂直ブランキング期間内に発信させる構成とすることができる。
【００１８】
これにより、撮影されている映像信号などに、ノイズなどの悪影響を及ぼさないよう構成することが可能となる。また、消費電力を低減させることができる。
【００１９】
（実施の形態１）
図１は、本発明の実施の形態における撮影装置の構成を示すブロック図である。
【００２０】
図１において、撮像素子２は、レンズ１を介して入射される光信号を受光し、電気信号に変換して出力するものであり、ＣＣＤイメージセンサーやＣＭＯＳイメージセンサーなどで構成される。ＤＳＰ回路３は、撮像素子２から出力される電気信号である映像信号に対して、ノイズ除去や画質調整などのカメラ信号処理を行う。コーデック回路４は、ＤＳＰ回路３から出力される映像信号の圧縮及び伸長を行うものであり、圧縮伸長方式には例えば動画の場合はＭＰＥＧ、静止画の場合はＪＰＥＧなどがある。情報媒体５は、コーデック回路４で圧縮された映像信号が記録されるものである。情報媒体５の構成例には、磁気テープ、光ディスク、半導体メモリーなどがあるがこれらに限定されるものではない。また、本実施の形態では、情報媒体５に記録される信号は映像信号のみとしているが、音声信号や制御信号などを含んでいてもよい。
【００２１】
発信部８は、所定の電波を発信するものである。また、発信部８は、ビデオカメラ装置９の電源がオンで、撮影モードで、撮像素子２から出力された映像信号（スルー画像）が表示部（図示せず）に表示されている状態において、電波が発信されている。なお、電波が発信されるタイミングは上記に限らず、例えば動画撮影の実行中における垂直ブランキング期間や、静止画撮影時のシャッターボタンの操作タイミングに合わせて、電波を発信させてもよい。また、動画撮影中における静止画撮影では、シャッターボタンが操作された後、最初の垂直ブランキング期間に合わせて電波を発信させることが好ましい。また、発信部８から発信される電波は、撮影禁止場所に設置されている電波受信装置で受信が可能な電波であればよく、例えば２．４ＧＨｚ帯や５ＧＨｚ帯の周波数帯域を使ったIEEE802.11規格等に準拠されている電波によって通信を行うことができる。
【００２２】
受信部７は、発信部８から発信される電波を受信可能である。
【００２３】
マイクロプロセッサ（以下、ＭＰＵ回路と記す）６は、受信部７における電波の受信状況によってＤＳＰ回路３を制御する。またＭＰＵ回路６は、発信部８における電波の発信動作や発信タイミングを制御している。具体的には、ＤＳＰ回路３から出力される映像信号を監視し、映像信号の垂直ブランキング期間に同期したタイミングで発信部７から電波を発信させるよう制御している。
【００２４】
以上のように構成された撮影装置について、以下動作を説明する。なお、動作説明においては、図４のフローチャートを交えて説明する。
【００２５】
まず、ビデオカメラ装置の電源をオンにし、ビデオカメラ装置を「撮影モード」に設定する。次に、被写体からの光学情報は、レンズ１を介して撮像素子２上に結像され、電気信号に変換されて出力される。撮像素子２の出力信号はＤＳＰ回路３に入力され、ＤＳＰ回路３においてアナログ−デジタル変換、ガンマ補正、ホワイトバランス処理等の信号処理が施される。ＤＳＰ回路３から出力される映像信号は、液晶ディスプレイやビューファインダーなどから構成される表示部（図示せず）に出力され、表示出力されている（図４のステップＳ１）。
【００２６】
一方、ＤＳＰ回路３から出力される映像信号は、ＭＰＵ回路６にも入力される。ＭＰＵ回路６は、ビデオカメラ装置９の全体を制御する回路である。ＭＰＵ回路６によって、操作キー（図示せず）の操作状態を検出してユーザーコマンドを入力管理する機能、ユーザーコマンドの指示に従って電源のオン・オフ、撮影開始・停止、記録した映像の再生開始・停止、などの制御機能を実現する。実施の形態１では、ＭＰＵ回路６は、ＤＳＰ回路３から出力される映像信号における垂直ブランキング期間に同期させて（図４のステップＳ２）、発信部８から電波を発信するよう制御している（図４のステップＳ３）。
【００２７】
発信部８から発信された電波は、コンサート会場、映画館、書店など、一般の来場者や来店者が写真撮影及びビデオ撮影を禁止されている場所（撮影禁止場所）に設置されている電波受信装置で受信が可能である。電波受信装置がビデオカメラ装置９から発信されている電波を受信すると、電波受信装置側において警告動作が行われる。警告動作には、例えばサイレンなどの警告音を鳴らしたり、施設内に設置されている警告表示部に警告表示を行ったりする。
【００２８】
またＭＰＵ回路６は、自らの指示によって発信部８から電波を発信させ、発信された電波を受信部７により受信させている。ＭＰＵ回路６は、受信部７において電波が受信されているか否かを判断し（図４のステップＳ４）、受信部７において発信部８から出力される電波を受信していれば、ビデオカメラ装置９を撮影可能な状態へ移行させている（図４のステップＳ５）。
【００２９】
一方、発信部８に不具合が生じたり、ユーザーによって発信部８の動作が無効化されたりして、発信部８から電波が発信されていない場合、ＭＰＵ６は発信部８に対して電波発信の指示を出しているにも関わらず、実際には受信部７から電波が発信されていない状態となる。ＭＰＵ６は、発信部８に対する電波発信指示と、受信部７における受信結果とが合わないことから、発信部８から電波が発信されていないことを認識することができる。
【００３０】
ＭＰＵ回路６は、発信部８から電波の発信がされていないことを検知した時、ビデオカメラ装置９の撮影機能を禁止するように制御している（図４のステップＳ６）。撮影機能を禁止させる方法には、例えばＤＳＰ回路３における処理動作を停止させたり、撮像素子２における光電変換処理を停止させるなどの方法がある。また、情報媒体５に対する映像信号等の記録動作を停止させたり、ビデオカメラ装置９の電源をオフにする構成でもよい。
【００３１】
ＭＰＵ回路６の制御によって、ビデオカメラ装置９の撮影動作が禁止された後は、発信部８を正常に動作させない限り、撮影を行うことができないように構成されている。
【００３２】
また、ＭＰＵ回路６は、発信部８から電波の発信がされていないことを検知した時、ビデオカメラ装置９に搭載されているディスプレイ（撮影中の映像等を表示可能な、例えば液晶ディスプレイ）やビューファインダーに、「撮影を中止します」等の警告表示を行う（図４のステップＳ７）。
【００３３】
表示部にスルー画像が表示されている状態で、ビデオカメラ装置９が撮影可能状態の時（すなわち図４のステップＳ５）、ユーザーによりシャッターボタンが操作されると、ＤＳＰ回路３から出力される映像信号は、コーデック回路４に入力されて、画像圧縮処理が行われる。画像圧縮処理された映像信号は、情報媒体５へ記録される。
【００３４】
通常、３５〜１００万画素の撮像素子が搭載されたビデオカメラにおいては、映像信号の情報量は１８Ｍバイト／秒にも達するので、コーデック回路４などにおいて情報圧縮処理を施して、データ量を低減（例えば半分以下）させることにより、確実かつ効率よく情報媒体５に映像信号を記録させることが可能となる。
【００３５】
次に、電波の発信タイミングについて説明する。
【００３６】
図２は映像信号と電波発信期間のタイミングを示すタイミング図である。図２（ａ）は映像信号のタイミングである。１フレームの映像信号が垂直同期信号で分割された垂直周期毎に送出される構成であり、垂直同期信号の近傍に映像信号が存在しない、一定のブランキング期間がある。なお、説明の便宜上、図２において水平同期信号のタイミングの図示は省略した。図２（ｂ）は電波が発信されるタイミングの一例を示している。電波の発信は、バースト状に一定間隔毎に、かつ前述のブランキング期間に配置されている。すなわち、映像信号と電波の発信は排他的に存在している。
【００３７】
図３は、映像信号の画面イメージを示した模式図である。映像信号３１の左端には水平同期信号３２が配置され、上端には垂直同期信号３３が配置されている。また、映像信号３１の周辺には、映像信号が存在しない領域（ブランキング期間）がある。実施の形態１では、電波の発信を垂直ブランキング期間に行っている。このように、電波発信タイミングを、映像信号の存在しない領域に配置させることによって、発信される電波による映像信号および映像信号処理に対しての妨害を排除することができる。
【００３８】
本発明における電波発信の目的は、ビデオカメラ装置９が撮影動作していることを探知することにあるのだが、ビデオカメラ装置９による動画の撮影は、連続的に数秒〜数分以上行われるのが一般的であるため、電波受信を探知する動作に数秒かかったとしても、実用上は問題ない。よって、発信部８における電波の発信周期が複数フレーム毎であっても、ビデオカメラ装置９を探知するという目的は問題なく達成される。
【００３９】
また、電波を間欠的に発信することで、発信に要する電力を低減させることができ、消費電力を低減させることができる。
【００４０】
以上のように本発明によれば、電波を発信する発信部８を備えることによって、撮影禁止場所などに設置されている電波受信装置によって撮影状態が探知可能である。また、発信部８で発信された電波を受信可能な受信部７を備えることによって、発信部８が故障したり無効化されたりした場合に、撮影を禁止させることができる。
【００４１】
また、電波の発信を、映像信号の存在しない領域（例えばブランキング期間）に行うことで、映像信号への妨害をなくすと共に消費電力を低減させることができる。
【産業上の利用可能性】
【００４２】
本発明によれば、違法な撮影が容易に探知可能であり、ビデオカメラやデジタルスチルカメラやカメラ付き携帯電話機などのように、ポータブル型撮影装置において有用である。
【図面の簡単な説明】
【００４３】
【図１】本発明の実施の形態１における撮影装置の構成を示すブロック図
【図２】実施の形態１における映像信号および電波発信タイミングを示すタイミング図
【図３】映像信号の構成を示す模式図
【図４】実施の形態１における動作を説明するためのフローチャート
【図５】従来の盗難検知システムの構成を示す模式図
【符号の説明】
【００４４】
１  レンズ
２  撮像素子
３  ＤＳＰ回路
４  コーデック回路
５  情報媒体
６  ＭＰＵ回路
７  受信部
８  発信部
９  ビデオカメラ装置
【図１】
2007104426.tif 000003
【図２】
2007104426.tif 000004
【図３】
2007104426.tif 000005
【図４】
2007104426.tif 000006
【図５】
2007104426.tif 000007